【手続補正書】
【提出日】平成29年2月20日(2017.2.20)
【手続補正１】
【補正対象書類名】明細書
【補正対象項目名】０００８
【補正方法】変更
【補正の内容】
【０００８】
任意選択で、磁場署名は、少なくとも約100マイクロテスラ(μT)の変化である。
【手続補正２】
【補正対象書類名】明細書
【補正対象項目名】００３２
【補正方法】変更
【補正の内容】
【００３２】
本発明のいくつかの実施形態による、任意選択で所望の強度の、ワイヤレスネットワーク信号の発見に応答して磁場検出がトリガされ、任意選択でデータ転送セッションを確立するための、パーソナルモバイルデバイスとターゲットデバイスとの間のサイン近接として使用される、近接推定プロセスの流れ図100である、図1をここで参照する。パーソナルモバイルデバイスは、セルラーデバイス、タブレット、スマートフォン、スマート眼鏡、および/または任意の他のパーソナル通信デバイスなど、モバイルクライアント端末を意味する。通信デバイスは、パーソナルモバイルデバイス、あるいは、パーソナルモバイルデバイスと対話するために使用されるデバイス、たとえば、ビーコン、読取り装置、検出チップ、読取り機構、コンピューティングユニット、および/または同様のもの、を意味する。ターゲットデバイスとも称される通信デバイスは、携帯用または非携帯用、たとえば、デスクトップパーソナルコンピュータおよびワイヤレスアクセスポイントなどの固定デバイス、であってよい。方法100は、磁場を識別し、たとえば電磁石によって、ある特定の磁場署名、たとえば一定期間にわたる、たとえば6秒未満の間、たとえば2秒未満の間の、約140〜160マイクロテスラ(μT)単位の、たとえば少なくとも約100μT、たとえば150μTの、磁場の大きさの変化(または変動)、および/または磁場方向の変化を検出するように動作する磁気探知器の使用に基づく。簡潔さのために、磁場の大きさの変化は、磁場変動を指し得る。そのような磁場の大きさの変化は、金属などの磁気影響を有する材料、任意選択で、近接におよび/またはターゲットデバイス内に設置され、たとえばそこへの距離が減るときに、ある特定の磁場署名を生成する磁石または電磁石、の結果であってよい。簡潔さのために、本明細書において、磁石は、磁場を生成する要素を表現するために使用される。
【手続補正３】
【補正対象書類名】明細書
【補正対象項目名】００４０
【補正方法】変更
【補正の内容】
【００４０】
ここで、ステップ102に示すように、ターゲットデバイス201が、たとえばそれのIDを含むワイヤレスネットワーク信号の識別に応答して、発見された場合、パーソナルモバイルデバイス201によって操作される磁気探知器203の磁場走査は、ターゲットデバイス202への所定の近接に関連する磁場署名の存在または不在を検出する。磁場署名は、任意選択で、一定期間にわたる、たとえば3秒未満の間の、少なくとも約100μTの、たとえば約150μTの、大きさの変化(すなわち、増加)、および/または、磁場署名の方向の変化である。たとえば、大きさの変化は、パーソナルモバイルデバイス201がターゲットデバイス202に近づけられたことまたはその逆を示す。また、磁場署名は、たとえばある特定のターゲットデバイスへの近接を示すパターンに従って、電磁石によって制御される大きさおよび/または方向の変化であってもよい。一例において、磁場署名は、ある期間中の方向、たとえばある種のテンポまたは周波数、の変化によって定義される。
【手続補正４】
【補正対象書類名】特許請求の範囲
【補正対象項目名】全文
【補正方法】変更
【補正の内容】
【特許請求の範囲】
【請求項１】
ターゲットデバイスへの近接を検出する方法であって、
パーソナルモバイルデバイスでワイヤレスネットワーク周波数帯域を走査して、ワイヤレススパーソナルエリアネットワーク（ＷＰＡＮ）プロトコルまたはワイヤレスローカルエリアネットワーク（ＷＬＡＮ）プロトコルに従って符号化された少なくとも１つのワイヤレスネットワーク信号を発見するステップと、
前記少なくとも１つのワイヤレスネットワーク信号の発見に応答して、前記パーソナルモバイルデバイスによって操作される磁気探知器の磁場走査をトリガするステップと、
前記パーソナルモバイルデバイスにおいて、磁場走査結果に従って、前記ターゲットデバイスへの所定の近接に関連する磁場署名の存在または不在を検出するステップと
を有し、
前記磁場署名が、少なくとも約１００マイクロテスラ（μＴ）の変化である、方法。
【請求項２】
前記少なくとも１つのワイヤレスネットワーク信号が、前記ターゲットデバイスから物理的に切り離された複数の異なる送信ユニットからの複数のワイヤレスネットワーク信号を含む、請求項１に記載の方法。
【請求項３】
前記少なくとも１つのワイヤレスネットワーク信号が、少なくとも１つのビーコン信号を含む、請求項１に記載の方法。
【請求項４】
前記磁場署名が、経時的に変化する方向または大きさを含む、請求項１に記載の方法。
【請求項５】
前記存在の検出に応答して、前記パーソナルモバイルデバイスと前記ターゲットデバイスとの間のデータ転送を実施するステップをさらに有する、請求項１に記載の方法。
【請求項６】
前記存在の検出に応答して、前記パーソナルモバイルデバイスでイベントを実施するステップをさらに有する、請求項１に記載の方法。
【請求項７】
前記存在の検出に応答して、前記パーソナルモバイルデバイスと遠隔デバイスとの間のデータ転送を実施するステップをさらに有する、請求項１に記載の方法。
【請求項８】
前記少なくとも１つのワイヤレスネットワーク信号および前記磁場署名のうちの少なくとも１つの分析に従って、前記ターゲットデバイスの識別子を取得するステップをさらに有し、
前記データ転送が、前記識別子に従って複数のデータ転送セッションから選択されたデータ転送セッションでなされる、請求項５に記載の方法。
【請求項９】
前記パーソナルモバイルデバイスの現在の向きを識別するステップをさらに有し、
前記現在の向きが所望の向きに一致する場合に、前記実施するステップが実行される、請求項５に記載の方法。
【請求項１０】
前記パーソナルモバイルデバイスの現在の位置を識別するステップをさらに有し、
前記現在の位置が所望の位置と一致する場合に、前記実施するステップが実行される、請求項５に記載の方法。
【請求項１１】
前記トリガするステップが、
前記少なくとも１つのワイヤレスネットワーク信号の強度を測定するステップと、
測定した強度に従って、トリガを実行するステップと
を含む、請求項１に記載の方法。
【請求項１２】
前記走査するステップが、複数の問合せメッセージを送信して、前記少なくとも１つのワイヤレスネットワーク信号を生成する少なくとも１つの送信ユニットからの少なくとも１つの応答を誘導するステップを含む、請求項１に記載の方法。
【請求項１３】
請求項１に記載の方法を実行するように構成されたコンピュータ実行可能命令を格納した、非一時的なコンピュータ読み取り可能な記録媒体。
【請求項１４】
プロセッサと、
ワイヤレスネットワーク周波数帯域のワイヤレスネットワーク走査を実行して、ワイヤレススパーソナルエリアネットワーク（ＷＰＡＮ）プロトコルまたはワイヤレスローカルエリアネットワーク（ＷＬＡＮ）プロトコルに従って符号化された少なくとも１つのワイヤレスネットワーク信号を検出する、ワイヤレスネットワークインターフェースと、
磁気探知器と、
前記少なくとも１つのワイヤレスネットワーク信号の発見に応答して、前記磁気探知器を操作して、磁場署名を検出するための磁場走査を実行し、前記プロセッサを使用して、磁場走査結果に従って、前記パーソナルモバイルデバイスとターゲットデバイスとの所定の近接が識別されたか否かを判定する、制御モジュールと
を備え、
前記磁場署名が、少なくとも約１００マイクロテスラ（μＴ）の変化である、パーソナルモバイルデバイス。
【請求項１５】
前記所定の近接の検出に応答して、前記パーソナルモバイルデバイスと前記ターゲットデバイスとの間でデータが転送されるデータ転送セッションに参加する、データ転送モジュールをさらに備える、請求項１４に記載のパーソナルモバイルデバイス。
【請求項１６】
前記パーソナルモバイルデバイスが、セルラーデバイスであり、
前記磁気探知器および前記ワイヤレスネットワークインターフェースが、前記セルラーデバイスの統合された構成要素である、請求項１４に記載のパーソナルモバイルデバイス。